(57)【要約】【課題】アームに人がぶら下がることを防止することができる壁面固定式アームの提供。【解決手段】壁面固定式アーム１は、壁面に固定される固定部４と、固定部４に一端が支持されるとともに、壁面の面外方向に向かって延出するアーム部５と、アーム部５の他端に設けられ、プロジェクターが取り付けられる取付部６とを備える。固定部４には、水平方向に沿って壁面と平行に延出する円柱部材４１３が設けられる。アーム部５には、円柱部材４１３に係合される２つの鉤状部５２１Ａが設けられる。アーム部５は、円柱部材４１３と、各鉤状部５２１Ａとを係合させることで固定部４に支持される。【選択図】図３
2010175897.tif 000002
【特許請求の範囲】
【請求項１】
壁面に固定される固定部と、前記固定部に一端が支持されるとともに、前記壁面の面外方向に向かって延出するアーム部と、前記アーム部の他端に設けられ、対象物が取り付けられる取付部とを備え、前記対象物を前記壁面に固定する壁面固定式アームであって、
前記固定部、及び前記アーム部のいずれか一方には、水平方向に沿って前記壁面と平行に延出する軸状部が設けられ、
前記固定部、及び前記アーム部のいずれか他方には、前記軸状部に係合される少なくとも２つの鉤状部が設けられ、
前記アーム部は、前記軸状部、及び前記各鉤状部を係合させることで前記固定部に支持されることを特徴とする壁面固定式アーム。
【請求項２】
請求項１に記載の壁面固定式アームにおいて、
前記固定部には、前記軸状部が設けられ、
前記アーム部には、鉛直上方側に凸となる前記各鉤状部が設けられていることを特徴とする壁面固定式アーム。
【請求項３】
請求項１または請求項２に記載の壁面固定式アームにおいて、
前記各鉤状部には、切欠きが形成されていることを特徴とする壁面固定式アーム。
【請求項４】
請求項１から請求項３のいずれかに記載の壁面固定式アームにおいて、
前記軸状部、及び前記各鉤状部の鉛直下方側に設けられ、前記固定部、及び前記アーム部を前記軸状部と平行な軸を回転軸として回転自在に連結する連結部を備えることを特徴とする壁面固定式アーム。
【発明の詳細な説明】
【技術分野】
【０００１】
本発明は、壁面固定式アームに関する。
【背景技術】
【０００２】
従来、壁面に固定される固定部と、固定部に一端が支持されるとともに、壁面の面外方向に向かって延出するアーム部と、アーム部の他端に設けられ、プロジェクター等の対象物が取り付けられる取付部とを備え、対象物を壁面に固定する壁面固定式アームが知られている（例えば、特許文献１参照）。
特許文献１に記載の壁面固定式アームでは、フレーム（固定部）と、アーム（アーム部）と、ヒンジユニット（取付部）とを備え、投影ヘッド（対象物）を壁面に固定している。
【０００３】
【特許文献１】特表２００２−５３８５０８号公報
【発明の開示】
【発明が解決しようとする課題】
【０００４】
しかしながら、特許文献１に記載の壁面固定式アームでは、壁面の面外方向に向かって延出するアームを備えているので、アームに人がぶら下がってしまうという問題がある。
【０００５】
本発明の目的は、アームに人がぶら下がることを防止することができる壁面固定式アームを提供することにある。
【課題を解決するための手段】
【０００６】
本発明の壁面固定式アームは、壁面に固定される固定部と、前記固定部に一端が支持されるとともに、前記壁面の面外方向に向かって延出するアーム部と、前記アーム部の他端に設けられ、対象物が取り付けられる取付部とを備え、前記対象物を前記壁面に固定する壁面固定式アームであって、前記固定部、及び前記アーム部のいずれか一方には、水平方向に沿って前記壁面と平行に延出する軸状部が設けられ、前記固定部、及び前記アーム部のいずれか他方には、前記軸状部に係合される少なくとも２つの鉤状部が設けられ、前記アーム部は、前記軸状部、及び前記各鉤状部を係合させることで前記固定部に支持されることを特徴とする。
【０００７】
このような構成によれば、アーム部は、軸状部、及び各鉤状部を係合させることで固定部に支持されるので、アーム部に人がぶら下がった場合には、アーム部を介して各鉤状部に負荷が加わる。そして、各鉤状部は、一定以上の負荷が加わると破損する。したがって、本発明によれば、アーム部に人がぶら下がることを防止することができる。
【０００８】
本発明では、前記固定部には、前記軸状部が設けられ、前記アーム部には、鉛直上方側に凸となる前記各鉤状部が設けられていることが好ましい。
【０００９】
ここで、各鉤状部を固定部に設ける場合と、アーム部に設ける場合とを比較すると、鉤状部が破損した際には、固定部は壁面に固定されているので交換に手間がかかるが、アーム部は固定部に支持されているので容易に交換することができる。
本発明によれば、各鉤状部は、アーム部に設けられているので、固定部に設けられている場合と比較して各鉤状部が破損した際に壁面固定式アームを容易に修理することができる。
【００１０】
本発明では、前記各鉤状部には、切欠きが形成されていることが好ましい。
このような構成によれば、切欠きの大きさを調整することで各鉤状部の破損しやすさを調整することができる。したがって、アーム部の耐荷重を容易に調整することができる。
【００１１】
本発明では、前記軸状部、及び前記各鉤状部の鉛直下方側に設けられ、前記固定部、及び前記アーム部を前記軸状部と平行な軸を回転軸として回転自在に連結する連結部を備えることが好ましい。
このような構成によれば、各鉤状部に負荷が加わり破損した場合に、アーム部は、連結部の回転軸を中心として回転し、固定部に連結された状態で垂れ下がるので、固定部からアーム部が脱落することを防止することができる。
【発明を実施するための最良の形態】
【００１２】
以下、本発明の一実施形態を図面に基づいて説明する。
〔壁面固定式アームの概略構成〕
図１は、本発明の一実施形態に係る壁面固定式アーム１を用いてプロジェクター２を固定している状態を示す図である。なお、図１では、上方向を＋Ｚ軸方向とし、このＺ軸に直交する２軸をそれぞれＸ軸、及びＹ軸として説明する。また、Ｘ軸は壁面と平行し、Ｙ軸は壁面と直交する軸である。以下の図面においても同様である。
壁面固定式アーム１は、図１に示すように、対象物としてのプロジェクター２を壁面に固定するものである。また、プロジェクター２は、光源から射出された光束を画像情報に応じて変調して画像光を形成し、形成された画像光をスクリーン３等の投射面上に拡大投射するものである。
【００１３】
図２は、壁面固定式アーム１、及びプロジェクター２を示す測面図である。
壁面固定式アーム１は、図１、及び図２に示すように、壁面に固定される固定部４と、固定部４に一端が支持されるとともに、壁面の面外方向（＋Ｙ軸方向）に向かって延出するアーム部５と、アーム部５の他端に設けられ、プロジェクター２が取り付けられる取付部６とを備える。
固定部４は、後述する固定板４１（図３参照）と、固定板４１を覆うカバー部材４２，４３とを備える。
【００１４】
カバー部材４２は、中央に凹部４２１を有するＵ字状に形成された樹脂製の部材であり、アーム部５は、凹部４２１を介して露出している。
カバー部材４３は、カバー部材４２と一体化して凹部４２１を閉塞する板状部４３１と、板状部４３１の面外方向に突出する断面三角柱状の柱状部４３２とを有する樹脂製の部材である。柱状部４３２は、カバー部材４３にて凹部４２１を閉塞した状態でアーム部５に当接する。
【００１５】
〔アーム部の支持構造〕
図３は、カバー部材４２，４３を取り外した状態における壁面固定式アーム１を示す斜視図である。
固定板４１は、壁面に固定される金属製の部材であり、図３に示すように、＋Ｚ軸方向側の二隅が斜めに切り取られた略矩形状に形成されている。この固定板４１は、外周部分を垂直に折り曲げて形成され、カバー部材４２，４３が取り付けられるカバー取付部４１１と、中央部分の２箇所をＺ軸方向に沿って垂直に折り曲げて形成され、アーム部５を支持する矩形板状の２つの支持部４１２とを備える。
【００１６】
各支持部４１２には、＋Ｚ軸方向側の中央部分に貫通孔４１２Ａが形成され、−Ｚ軸方向側の中央部分にネジ孔（図示略）が形成されている。
各貫通孔４１２Ａには、円柱状に形成された金属製の円柱部材４１３が挿通され、円柱部材４１３は、各支持部４１２から所定幅だけ突出した状態で各支持部４１２に溶接され、固定されている。すなわち、円柱部材４１３は、水平方向に沿って壁面と平行に延出するものであり、固定部４に設けられる軸状部として機能する。
【００１７】
図４は、アーム部５を固定部４側から見た斜視図である。
アーム部５は、図４に示すように、断面楕円の円筒状に形成された金属製の円筒部材５１と、固定板４１に接続される金属製の接続部材５２とを備える。
接続部材５２は、円筒部材５１が挿通される穴５２Ａを有し、穴５２Ａを介して円筒部材５１に溶接によって固定される。また、接続部材５２は、Ｘ軸方向両側をＺ軸方向に沿って垂直に折り曲げて形成され、各支持部４１２に係合される２つの係合部５２１と、−Ｚ軸方向側の中央部分から−Ｙ軸方向に向かって延出した後、＋Ｚ軸方向側に向かって垂直に折り曲げて形成され、接続部材５２を固定板４１に接続する際のガイドとなるガイド部５２２とを備える。
【００１８】
各係合部５２１には、＋Ｚ軸方向側に円柱部材４１３に係合される鉤状部５２１Ａが形成され、−Ｚ軸方向側にＹ軸方向に沿って長穴５２１Ｂが形成されている。なお、各係合部５２１の間隔は、各支持部４１２の間隔よりも広く設定されている。
各鉤状部５２１Ａは、＋Ｚ軸方向側（鉛直上方側）に凸となるように形成され、＋Ｚ軸方向側の端部には、切欠き５２１Ｃが形成されている。
各長穴５２１Ｂは、各支持部４１２のネジ孔と対向する位置に形成されている。
【００１９】
円柱部材４１３と、各鉤状部５２１Ａとを係合させることでアーム部５を固定部４に支持させるには、まず、固定板４１をネジ等によって壁面に固定する。
次に、図３に示すように、各鉤状部５２１Ａを円柱部材４１３に引っ掛けて係合させるとともに、ガイド部５２２と、固定板４１を当接させる。
そして、長穴５２１Ｂを介して各支持部４１２のネジ孔にネジ５３を螺合することでアーム部５を固定部４に支持させる。なお、ネジ５３の回転軸は、円柱部材４１３の軸と平行である。
【００２０】
ここで、人がぶら下がること等によって、アーム部５に負荷が加わると各鉤状部５２１Ａに負荷が加わる。そして、各鉤状部５２１Ａは、一定以上の負荷が加わると破損する。
各鉤状部５２１Ａが破損すると、アーム部５は、円柱部材４１３の中心軸と平行なネジ５３の回転軸を中心として回転し、固定部４に連結された状態で垂れ下がる。すなわち、本実施形態では、各支持部４１２のネジ孔、長穴５２１Ｂ、及びネジ５３で連結部を構成し、固定部４、及びアーム部５を円柱部材４１３と平行な軸を回転軸として回転自在に連結している。
【００２１】
〔取付部の概略構成〕
取付部６は、図２に示すように、断面楕円の円筒状に形成された金属製の円筒部材６１と、円筒部材６１をプロジェクター２に接続するための金属製のリンク機構６２と、リンク機構６２の端部に固定されるとともに、プロジェクター２の底面に固定される金属製の板状部材６３と、板状部材６３、及びプロジェクター２の間に介在配置される樹脂製の中継板６４と、プロジェクター２に配線されるケーブルを覆う樹脂製のカバー部材６５，６６とを備える。
【００２２】
円筒部材６１は、円筒部材５１の内部に挿入され、ネジ等によって円筒部材５１に固定される。また、円筒部材６１には、−Ｚ軸方向側に向かって突出する反円盤状の突出部６１１が形成されている。
リンク機構６２は、Ｘ軸方向の軸を回転軸として回転自在に突出部６１１に接続される第１リンク６２１と、Ｙ軸方向の軸を回転軸として回転自在に第１リンク６２１に接続される第２リンク６２２とを備える。
【００２３】
図５は、プロジェクター２、及び取付部６を示す上面図である。
板状部材６３は、図３、及び図５に示すように、Ｘ軸方向を長手方向とする略矩形の板状に形成され、第２リンク６２２にネジ等によって固定されている。この板状部材６３は、Ｘ軸方向に沿って−Ｘ軸方向側に形成される長穴６３１と、＋Ｘ軸方向側に形成されるネジ孔６３２とを備える。
中継板６４は、Ｘ軸方向を長手方向とする略矩形の板状に形成され、プロジェクター２の底面にネジ等によって固定されている。なお、プロジェクター２の底面における所定の位置には、予めナット等が挿入されている。この中継板６４は、中継板６４上の所定の点を中心として点対称となるように角部に形成される３つの長穴６４１と、板状部材６３の長手方向に沿って形成され、板状部材６３を挟持する４つの挟持部６４２とを備える。
【００２４】
板状部材６３は、挟持部６４２にてＸ軸方向に沿ってスライド移動可能に挟持されている。また、板状部材６３は、長穴６３１を介してネジが螺合されることでプロジェクター２に固定される。この状態では、板状部材６３は、中継板６４に対してＸ軸方向に沿ってスライド移動させることができる。プロジェクター２のＸ軸方向における位置を設定するには、ネジ孔６３２にネジ（図示略）を螺合し、このネジにて中継板６４を押圧する。
また、プロジェクター２は、リンク機構６２によってＸ，Ｙ軸方向の軸を回転軸として回転させることができ、長穴６４１を介してネジ（図示略）を螺合してプロジェクター２に中継板６４を固定する際に、中継板６４を所定の点を中心として回転させることができる。
【００２５】
カバー部材６５は、円筒部材６１に取り付けられるものであり、カバー部材６６は、中継板６４に取り付けられ、プロジェクター２の背面を覆うものである。
プロジェクター２に配線されるケーブルは、アーム部５の円筒部材５１の内部を通った後（図４参照）、リンク機構６２、及びカバー部材６５の間を通りプロジェクター２の背面に接続される。そして、プロジェクター２の背面に接続されたケーブルは、カバー部材６６に覆われる。
【００２６】
本実施形態に係る壁面固定式アーム１によれば、次のような効果がある。
（１）アーム部５は、円柱部材４１３、及び各鉤状部５２１Ａを係合させることで固定部４に支持されるので、アーム部５に人がぶら下がった場合には、アーム部５を介して各鉤状部５２１Ａに負荷が加わる。そして、各鉤状部５２１Ａは、一定以上の負荷が加わると破損する。したがって、壁面固定式アーム１によれば、アーム部５に人がぶら下がることを防止することができる。
（２）各鉤状部５２１Ａは、アーム部５に設けられているので、固定部４に設けられている場合と比較して各鉤状部５２１Ａが破損した際に壁面固定式アーム１を容易に修理することができる。
【００２７】
（３）各鉤状部５２１Ａには、切欠き５２１Ｃが形成されているので、切欠き５２１Ｃの大きさを調整することで各鉤状部５２１Ａの破損しやすさを調整することができる。したがって、アーム部５の耐荷重を容易に調整することができる。
（４）各鉤状部５２１Ａに負荷が加わり破損した場合に、アーム部５は、ネジ５３の回転軸を中心として回転し、固定部４に連結された状態で垂れ下がるので、固定部４からアーム部５が脱落することを防止することができる。
【００２８】
〔実施形態の変形〕
なお、本発明は前記実施形態に限定されるものではなく、本発明の目的を達成できる範囲での変形、改良等は本発明に含まれるものである。
例えば、前記実施形態では、軸状部としての円柱部材４１３は、固定部４に設けられ、各鉤状部５２１Ａは、アーム部５に設けられていたが、固定部に各鉤状部を設け、アーム部に軸状部を設けるように壁面固定式アームを構成してもよい。なお、このように構成した場合には、固定部に設けられる各鉤状部は、鉛直下方側に凸となる。
前記実施形態では、２つの鉤状部５２１Ａを備えていたが、鉤状部の数は、これ以上であってもよい。要するに、壁面固定式アームは、少なくとも２つの鉤状部を備えていればよい。
【００２９】
前記実施形態では、鉤状部５２１Ａには、切り欠き５２１Ｃが形成されていたが、切欠き５２１Ｃは形成されていなくてもよい。また、例えば、鉤状部の材質を変更することで鉤状部の破損しやすさを調整してもよい。要するに、鉤状部は、一定の負荷が加わった場合に破損するように構成されていればよい。
前記実施形態では、固定部４、及びアーム部５をネジ５３の回転軸を中心として回転自在に連結する連結部を備えていたが、壁面固定式アームは、連結部を備えていなくてもよい。
前記実施形態では、対象物としてプロジェクター２を例示したが、対象物は、例えば、画像表示装置等であってもよい。
【産業上の利用可能性】
【００３０】
本発明は、壁面固定式アームに好適に利用することができる。
【図面の簡単な説明】
【００３１】
【図１】本発明の一実施形態に係る壁面固定式アームを用いてプロジェクターを固定している状態を示す図。
【図２】前記実施形態における壁面固定式アーム、及びプロジェクターを示す測面図。
【図３】前記実施形態におけるカバー部材を取り外した状態における壁面固定式アームを示す斜視図。
【図４】前記実施形態におけるアーム部を固定部側から見た斜視図。
【図５】前記実施形態におけるプロジェクター、及び取付部を示す上面図。
【符号の説明】
【００３２】
１…壁面固定式アーム
２…プロジェクター（対象物）
４…固定部
５…アーム部
６…取付部
５３…ネジ（連結部）
４１３…円柱部材（軸状部）
５２１Ａ…鉤状部
５２１Ｂ…長穴（連結部）
５２１Ｃ…切欠き
【図１】
2010175897.tif 000003
【図２】
2010175897.tif 000004
【図３】
2010175897.tif 000005
【図４】
2010175897.tif 000006
【図５】
2010175897.tif 000007